(57)【要約】【課題】広告媒体に適した管便な扇子【解決手段】上下方向の下端側の幅に対して、上端側の幅が広い扇片を構成する。更に、前記扇片を左右の幅方向に延設するとともに、扇片の一方の側縁を山折れ、他方の側縁を谷折れにした係合代とする。前記の扇片を複数重ねた状態から扇状に開くための、下端付近の開き中心と同心に設けた中心穴を設ける。また、最下層の扇片には、前記中心穴に対応する側縁から、前記複数の扇片の側縁と、最上層の扇片の上を回って、前記中心穴を下降し、再び最下層の扇片に至る、全扇片を係止するとともに、開き軸となる係止帯を設ける。更に、前記係止帯の先端を、最下層の扇片に係止する係止部を設ける。扇片を複数重ねた状態から開き中心を軸に扇状に開いたときに、前記谷折れの係止代と、それに隣接する扇片の山折れの係止代が係合する係合部を構成するようにする。【選択図】図４
2014083223.tif 000002
【特許請求の範囲】
【請求項１】
上下方向の下端側の幅に対して、上端側の幅が広い扇片と、
前記扇片を左右の幅方向に延設するとともに、扇片の一方の側縁を山折れ、他方の側縁を谷折れにした係合代と、
前記の扇片を複数重ねた状態から扇状に開くための、下端付近の開き中心と同心に設けた中心穴と、
最下層の扇片の前記中心穴に対応する側縁から、前記複数の扇片の側縁と、最上層の扇片の上を回って、前記中心穴を下降し、再び最下層の扇片に至る、全扇片を係止するとともに、開き軸となる係止帯と、
前記係止帯の先端を、最下層の扇片に係止する係止部と、
扇片を複数重ねた状態から開き中心を軸に扇状に開いたときに、前記谷折れの係止代と、それに隣接する扇片の山折れの係止代が係合する係合部と、
を備えたことを特徴とする紙扇子。
【請求項２】
前記係止帯が最下層の扇片の、開いたときの端になる側縁の、前記中心穴に対応する位置を縁方向の直角に延設し、前記係止部が、最下層の扇片の前記中心穴に対応する位置に設けられたスリットである請求項１に記載の紙扇子
【発明の詳細な説明】
【技術分野】
【０００１】
本発明は、扇子に関し、特に厚紙を折って広告宣伝等に使用する紙扇子に関するものである。
【背景技術】
【０００２】
紙細工の扇子を広告宣伝に使用することが広告業界でなされている。この用途に使用される扇子として例えば特開平10-179226に示す扇子がある。
【０００３】
すなわち、図６（ａ）に示すように、折線２２で谷折りに、折線２３で山折りに折り返された扇形紙片２１を複数重ね合わせ、そのひと下端部相互を互いに回動可能にハトメ２６で連結している。
【０００４】
この紙扇子の上下両端扇形紙片２１を手で持って左右に開けると、下層の扇形紙片の谷折り折り返し部２４と上側の扇形紙片２１の山折り折り返し部２５が、図６（ｂ）（図６（ｃ）のＸ−Ｘ‘断面図）に示すように互いに噛み合い、順次扇形紙片２１の先端部、前記ハトメ２６を中心に開かれるとともに、各扇形紙片２１が相互に係止されて、図６（ｃ）に示すように紙扇子が開くようになっている。
【先行技術文献】
【特許文献】
【０００５】
【特許文献１】特開平１０-１７９２２６
【発明の概要】
【発明が解決しようとする課題】
【０００６】
上記従来の紙扇子によると、ハトメ加工をして開き中心を止める必要があり、工程数がかかり、それだけコスト上のデメリットがある。
【課題を解決するための手段】
【０００７】
上記課題を解決するために、本発明は以下の手段を採用している。すなわち、上下方向の下端側の幅に対して、上端側の幅が広い扇片を形成しておく。当該扇片を左右の幅方向に延設するとともに、扇片の一方の側縁を山折れ、他方の側縁を谷折れにした係止代を設けておく。ついで、前記の扇片を複数重ねた状態から扇状に開くための、下端付近の開き中心と同心に中心穴を形成する。更に、最下層の扇片の前記中心穴に対応する側縁から、前記複数の扇片の側縁と、最上層の扇片の上を回って、前記中心穴を下降し、再び最下層の扇片に至る、全扇片を係止するとともに、開き軸となる係止帯を設けておく。また、前記係止帯の先端を、最下層の扇片に設けた係止部で係止するようになっている。更に、扇片を複数重ねた状態から開き中心を軸に扇状に開いたときに、前記谷折れの係止代と、それに隣接する扇片の山折れの係止代が係合する係合部が形成される。
【発明の効果】
【０００８】
前記係止帯は、紙や紐を用いて作ることができ、ハトメのような紙や紐に比べて高価な材料を用いる必要はない。
【０００９】
さらに、前記係止帯として、最下層の扇片の１側縁を延設した構成にすると、部品点数は増えないことになり、更に、前記係止部として、最下層の扇片を利用すると、更に部品点数が少なくなる効果がある。
【図面の簡単な説明】
【００１０】
【図１】本発明に使用する扇片の展開図
【図２】扇片の折りを示す図
【図３】係止帯による係止状態を示す図
【図４】扇に開いたときの状態を示す図
【図５】図４の裏側を示す図
【図６】従来技術を示す図
【発明を実施するための形態】
【００１１】
図１は本発明に使用する扇片の平面図であり、(ａ)は最下層の扇片、(ｃ)は、最上層の扇片、(ｂ)は前記最下層と最上層の扇片に挟まれた扇片を示すものである。
【００１２】
図１に示す扇片は、紙、プラスチックシート等を切り抜いて形成される。先ず、図１(ｂ)に示す中間の扇片１１ｂは、上端の幅が下端に比べて広く、それ自体で小さな扇形状になっており、下端から上端に至る両側縁１１‘ｂ、１１“ｂには幅方向に係合代１２ａ、１２ｂが張り出されている。この係合代１２ａ、１２ｂは、図２に示すように、特定の一方が前記側縁１１`ｂに沿って山折れ（１２ａ）、他の一方が前記側縁１１”ｂに沿って谷折れ（１２ｂ）にされる。また、扇として開くときの下端付近の開き中心の位置には、後述する係合帯１３が挿通される中心穴１４が設けられている。
【００１３】
前記係合代１２ａ、１２ｂの幅については後述する。
【００１４】
図１(ａ)に示す最下層の扇片１１ａは、扇として開いたときの一方の端縁に対応する側縁11`ａに設けられる前記係合代１２ａ（山折れ係合代）が省略される。また、図１(ｃ)に示す最上層の扇片１１ｃも扇として開いたときの他方の端縁に対応する側縁１１“ｃの係合代１２ｂ（谷折れ係合代）は省略される。
【００１５】
前記図１(ａ)に示す最下層の扇片１１ａの、扇として開いたときの中心に対応する側縁１１‘ａからは係止帯１３が当該側縁１１‘ａより略直角方向（扇として開いたときの外側）に、所定長さ延設して形成される。また、最下層の扇片１１ａの前記中心穴１４に対応する、前記係止帯１３と中心穴１４を挟んで対向する位置に、前記係止帯１３の先端を差込可能なスリット１５が形成される。
【００１６】
上記のように各扇片１１ａ、１１ｂ、１１ｃを構成しておき、最下層の扇片１１ａの上に必要な枚数の中間の扇片１１ｂを重ね、さらに最上層の扇片１１ｃを重ねる。このとき、図３に示すように、最下層の扇片１１ａから突き出している係止帯１３を最上層の扇片１１ｃの上に回して、先端を中心穴１４を介して再び最下層の扇片１１ａの下側にまで回し、前記最下層の扇片１１ａに設けられた前記スリット１５に差し込む（図５、参照）。
【００１７】
これによって、前記のように最下層の扇片１１ａに重ねられた各扇片１１ｂ、１１ｃは、係止帯１４で最下層の扇片１１ａに束ねられた状態が完成する。尚、上記扇片１１ａ、１１ｂ、１１ｃを単純に重ねたとき、係合代１２ａ、１２ｂの幅が広い部分では、山折れ係合片１２ａの先端が、その下の扇片１１ａ、１１ｂ、１１ｃの谷折れ係合片１２ａの上に重なって位置することになり、扇子として広げたときに、以下のように山折れ係合片１２ａが、その下の扇片１１ａ、１１ｂ、１１ｃの谷折れ係合片１２ａとかみ合わなくなるので、山折れ係合片１２ａの先端が、その下の扇片１１ａ、１１ｂ、１１ｃの谷折れ係合片１２ａの下に重なって位置するようにしておく。尚、図３では、前記係合代１２ａ、１２ｂは描いていない。
【００１８】
このように束ねられた状態から最下層の扇片１１ａと最上層の扇片１１ｃを持って両側に軽く引くと、図４に示すように、各扇片１１ａ、１１ｂ、１１ｃは前記中心穴１４に通した係止帯１３を軸に開く。このとき特定の扇片１１（１１ａ、１１ｂ、１１ｃ）の山折れ係合代１２ａとそれに隣接する扇片１１の谷折れの係合代１２ｂが相互に噛み合い、谷折れ係合代１２ｂの付け根（谷折れ線）の位置まで山折れ係合代１２ａの先端縁が入り込んで開きが止まるようになっている（この状態は図６（ｃ）と同じ）。
【００１９】
このとき、前記谷折れ線（谷折れ係合代１２ｂの基端）と山折れ係合代の先端縁と、が上下方向の全域に渡って正確に沿う構成にしておくと、薄い紙を使用しても、充分な強度が得られることになる。従って、各係合代12ａ、１２ｂは、上記の構成が成立する広さ（幅）にするのが最適となる。
【００２０】
前記中心穴１４は必ずしも円形である必要はなく、図１に示すように、半円形あるいは三日月形であってもよい。最下層の扇片１１ａは当該扇片１１ａの縦の中心線１６に平行な線１７と係止帯の突出している側円弧で囲われる三日月部分が中心穴となっている。但し、最下層の扇片１１ａに対してその上層に積層される扇片１１ｂ、１１ｃは、回転するので、中心穴１４の形状を最下層の扇片１１ａの中心穴１４と同じ形状にしたのでは、回転時に係止帯１３と干渉するおそれがある。そこで、回転角に応じた角度だけ、前記中心穴の三日月型の直線１７の傾斜を大きくして、上の方の層の扇片１１程、三日月型を半円あるいはそれ以上の面積にするようになっている。
【００２１】
この観点からは、最下層の扇片１１ａは三日月（半円）の面積が一番小さくてよいので、中心穴１４を挟んだ、残りの半円部分に前記スリット１５を設けることで、係止帯１３の長さを短くすることができる。
【００２２】
更に、前記係止帯１３は中間の扇片１１ｂ、最上層の扇片１１ｃの回転時に当該各扇片１１ｂ,１１ｃの側縁や下端縁と干渉しないようにする必要がある。そこで、各扇片１１（１１ａ、１１ｂ、１１ｃ）の下端縁１６は前記回転中心を中心として側縁１２ａ、１２ｂの下端から連続する半円形に成形される。これによって、係止帯１３は、各扇片１１ｂ,１１ｃの側縁や下端縁と干渉することがなく開閉することになる。
【産業上の利用可能性】
【００２３】
蒸気したように、この発明は、紙を所定の形状に成形し、折り込むだけの簡単な作業で、紙扇子をつくることができ、るので、広告業界に広く用いることができる。
【符号の説明】
【００２４】
１１（１１ａ、１１ｂ、１１ｃ）・・扇片
１２ａ、１２ｂ・・・係合代
１３・・・係止帯
１４・・・中心穴
１５・・・スリット
【図１】
2014083223.tif 000003
【図２】
2014083223.tif 000004
【図３】
2014083223.tif 000005
【図４】
2014083223.tif 000006
【図５】
2014083223.tif 000007
【図６】
2014083223.tif 000008